(57)【要約】【課題】片手で持ったままでも、画像の表示条件に関する情報の入力を容易に行なうことのできる電子機器、および当該電子機器における動作条件入力方法を提供すること。【解決手段】電子機器１００では、画像表示中あるいは表示条件の設定中に、入力面１０Ｒへの指など対象物体の接触面積を検出し、接触面積が変化したとき、接触面積の変化に連動して画像生成装置２００における画像の表示条件を変化させる。すなわち、指を押し付ける度合いを変化させた際に発生する入力面１０Ｒと指との接触面積の変化を入力情報として利用する。かかる構成であれば、電子機器１００をもった手の親指だけでも入力することができるので、便利である。【選択図】図３
2011039633.tif 000002
【特許請求の範囲】
【請求項１】
入力時に対象物体が接触する入力面、および該入力面への前記対象物体の接触面積を検出する接触面積検出部を備えた入力装置と、
前記入力面と平面視で重なる領域に画像を生成する画像生成装置と、
画像表示中あるいは表示条件の設定中に、前記入力装置により検出された前記接触面積が変化したとき、当該接触面積の変化に連動して前記画像生成装置における画像の表示条件を変化させる制御部と、
を有することを特徴とする電子機器。
【請求項２】
前記制御部は、前記接触面積が変化したとき、当該接触面積の変化に連動して、前記表示条件として前記画像の大きさを変化させることを特徴とする請求項１に記載の電子機器。
【請求項３】
前記制御部は、前記接触面積が増大したときに前記画像の大きさを拡大させ、前記接触面積が縮小したときに前記画像の大きさを縮小させることを特徴とする請求項２に記載の電子機器。
【請求項４】
前記制御部は、前記接触面積が変化したとき、当該接触面積の変化に連動して、前記画像に含まれる文字情報の大きさを変化させることを特徴とする請求項２または３に記載の電子機器。
【請求項５】
前記入力装置は、入力時に前記入力面に前記対象物体が最初に接触した接触開始位置を記憶しておく接触開始位置記憶部を備え、
前記制御部は、前記接触面積が変化したとき、前記接触開始位置を中心に前記画像の拡大および縮小を行なわせることを特徴とする請求項２または３に記載の電子機器。
【請求項６】
音声を再生する音声再生装置を備え、
前記制御部は、音声再生中あるいは音声再生条件の設定中に、前記入力装置により検出された前記接触面積が変化したとき、当該接触面積の変化に連動して前記音声再生装置での音声再生条件を変化させることを特徴とする請求項１乃至５の何れか一項に記載の電子機器。
【請求項７】
入力時に対象物体が入力面に接触する入力装置と、前記入力面と平面視で重なる領域に画像を生成する画像生成装置と、を有する電子機器における動作条件入力方法であって、
画像表示中あるいは表示条件の設定中に、前記入力面への前記対象物体の接触面積を検出し、当該接触面積が変化したとき、当該接触面積の変化に連動して前記画像生成装置における前記画像の表示条件を変化させることを特徴とする電子機器における動作条件入力方法。
【請求項８】
さらに、音声を再生する音声再生装置を備え、
音声再生中あるいは音声再生条件の設定中に、前記入力装置により検出された前記接触面積が変化したとき、当該接触面積の変化に連動して前記音声再生装置での音声再生条件を変化させることを特徴とする請求項７に記載の電子機器における動作条件入力方法。
【発明の詳細な説明】
【技術分野】
【０００１】
本発明は、画像や音声の再生を行なう電子機器、および電子機器における動作条件入力方法に関するものである。
【背景技術】
【０００２】
携帯電話などの電子機器では、近年、液晶装置などの画像生成装置に重ねて入力装置（タッチパネル）が配置されたものが提供されている。かかる電子機器では、画像生成装置により再生された画像を見ながら入力装置の入力面（画像表示領域）に接触すると、接触位置に対応した情報の入力を行なうことができる。
【０００３】
また、入力装置を備えた電子機器に関しては、指による入力面（画像表示領域）への接触圧の分布によって、指が伸びてきた方向を検出する技術が提案されている（特許文献１）。
【先行技術文献】
【特許文献】
【０００４】
【特許文献１】特開２００７−８３７８５号公報
【発明の概要】
【発明が解決しようとする課題】
【０００５】
携帯電話などの電子機器では、表示されたスイッチ画像への接触以外の入力方法で画像の表示形態を変更することが望まれているが、特許文献１に記載の技術は、指が伸びてきた方向によっては入力を拒否するための技術であり、情報の入力方法には利用できない。
【０００６】
一方、入力面において２本の指を相対移動させた際の動きがあった際、かかる動きを入力情報として認識し、所定の動作を行なわせる電子機器も案出されている。但し、入力面において２本の指を相対移動させるには、片方の手で電子機器を持ち、他方の手で入力操作を行う必要があるため、不便である。
【０００７】
かかる状況に鑑みて、本発明の課題は、片手で持ったままでも、画像の表示条件に関する情報の入力を容易に行なうことのできる電子機器、および電子機器における動作条件入力方法を提供することにある。
【課題を解決するための手段】
【０００８】
上記課題を解決するために、本発明に係る電子機器は、入力時に対象物体が接触する入力面、および該入力面への前記対象物体の接触面積を検出する接触面積検出部を備えた入力装置と、前記入力面と平面視で重なる領域に画像を生成する画像生成装置と、画像表示中あるいは表示条件の設定中に、前記入力装置により検出された前記接触面積が変化したとき、当該接触面積の変化に連動して前記画像生成装置における画像の表示条件を変化させる制御部と、を有することを特徴とする。
【０００９】
また、本発明は、入力時に対象物体が入力面に接触する入力装置と、前記入力面と平面視で重なる領域に画像を生成する画像生成装置と、を有する電子機器における動作条件入力方法であって、画像表示中あるいは表示条件の設定中に、前記入力面への前記対象物体の接触面積を検出し、当該接触面積が変化したとき、当該接触面積の変化に連動して前記画像生成装置における前記画像の表示条件を変化させることを特徴とする。
【００１０】
本発明では、入力面を指などの対象物体を接触させた際、指を押し付ける度合いを変化させると、指と入力面との接触面積が変化する。かかる接触面積の変化が発生したときには、接触面積の変化に連動して画像生成装置における画像の表示条件（サイズ、明るさ等）が変更となる。すなわち、指を押し付ける度合いを変化させた際に発生する入力面と指との接触面積の変化が入力情報として利用される。かかる入力方法であれば、例えば、電子機器をもった手の親指だけでも入力することができるので、便利である。
【００１１】
本発明において、前記制御部は、例えば、前記接触面積が変化したとき、当該接触面積の変化に連動して、前記表示条件として前記画像の大きさを変化させる。
【００１２】
本発明において、前記制御部は、前記接触面積が増大したときに前記画像の大きさを拡大させ、前記接触面積が縮小したときに前記画像の大きさを縮小させることが好ましい。このように構成すると、指などの対象物体を入力面に強く押し付ければ、画像が大きくなるので、指の動きと画像の大きさとの関係が自然であり、便利である。
【００１３】
本発明において、前記制御部は、前記接触面積が変化したとき、当該接触面積の変化に連動して、前記画像に含まれる文字情報の大きさを変化させることが好ましい。このように構成すると、メールなどを読んでいる途中で指などの対象物体を入力面に強く押し付ければ、文字サイズが変わるので、便利である。
【００１４】
本発明において、前記入力装置は、入力時に前記入力面に前記対象物体が最初に接触した接触開始位置を記憶しておく接触開始位置記憶部を備え、前記制御部は、前記接触面積が変化したとき、前記接触開始位置を中心に前記画像の拡大および縮小を行なわせる構成を採用してもよい。このように構成すると、写真やナビゲーション用の地図画像などを見ている際、好きな箇所を中心に拡大することができる。
【００１５】
本発明においては、さらに、音声を再生する音声再生装置を備え、前記制御部は、音声再生中あるいは音声再生条件の設定中に、前記入力装置により検出された前記接触面積が変化したとき、当該接触面積の変化に連動して前記音声再生装置での音声再生条件（音量や音質）を変化させてもよい。すなわち、音声を再生する音声再生装置を備え、音声再生中あるいは音声再生条件の設定中に、前記入力装置により検出された前記接触面積が変化したとき、当該接触面積の変化に連動して前記音声再生装置での音声再生条件を変化させてもよい。このように構成すると、例えば、音楽の再生中や通話中、電子機器をもった手の親指だけでも音声を大きくすることができるので、便利である。
【図面の簡単な説明】
【００１６】
【図１】本発明を適用した電子機器の説明図である。
【図２】本発明を適用した電子機器の電気的構成を示すブロック図である。
【図３】本発明を適用した電子機器において入力面に画像を表示している状態で表示条件を変更するための入力操作を行う様子を示す説明図である。
【図４】本発明を適用した電子機器での入力処理を示すフローチャートである。
【図５】本発明を適用した別の電子機器において入力面に画像を表示している状態で表示条件を変更するための入力操作を行う様子を示す説明図である。
【図６】本発明を適用した別の電子機器の電気的構成を示すブロック図である。
【発明を実施するための形態】
【００１７】
次に、添付図面を参照して本発明の実施形態について詳細に説明する。
【００１８】
［入力装置および電子機器の構成］
（電子機器の全体構成）
図１は、本発明を適用した電子機器の説明図であり、図１（ａ）、（ｂ）は、携帯電話機の説明図、および情報携帯端末（ＰＤＡ：Personal Digital Assistants）の説明図である。図２は、本発明を適用した電子機器の電気的構成を示すブロック図である。
【００１９】
図１（ａ）に示す電子機器１００は携帯電話機（携帯用電子機器）であり、入力面１０Ｒを備えた入力装置１０と、電子機器本体１０１とを備えている。電子機器本体１０１は、複数の操作ボタン３００１、スクロールボタン３００２、直視型の画像生成装置２００および音声再生装置３００を備えており、画像生成装置２００は、入力面１０Ｒと重なる位置に画像表示領域２０Ｒを備えている。図１（ｂ）に示す電子機器１００は情報携帯端末であり、入力面１０Ｒを備えた入力装置１０と電子機器本体１０１とを備えている。電子機器本体１０１は、操作ボタン４００１、電源スイッチ４００２、直視型の画像生成装置２００および音声再生装置（図示せず）を備えており、画像生成装置２００は、入力面１０Ｒと重なる位置に画像表示領域２０Ｒを備えている。また、図１（ａ）、（ｂ）に示す電子機器１００はいずれも、入力装置１０および電子機器本体１０１に対して共通の制御装置４００を備えている。
【００２０】
本形態において、入力装置１０は、静電容量式、光学式、電磁誘導式等のタッチパネルであり、指などの対象物体が入力面１０Ｒに接触した際、接触位置の座標を検出する。かかる接触位置を検出できれば、入力面１０Ｒ（画像表示領域２０Ｒ）に形成された複数のスイッチ画像のいずれが選択されたかを検出することができる。
【００２１】
また、本形態の電子機器１００において、入力装置１０は、指などの対象物体が入力面１０Ｒに接触した際、指と入力面１０Ｒとの接触面積も検出する。本形態の電子機器１００においては、後述するように、入力装置１０において検出した指と入力面１０Ｒとの接触面積については、入力面１０Ｒ（画像表示領域２０Ｒ）に画像を表示する際の表示条件や、音声を再生するときの条件を指定する入力操作として利用される。
【００２２】
このため、図２に示すように、入力装置１０は、入力面１０Ｒに対する指の接触位置および接触面積を検出する接触位置・接触面積検出部４８０を備えており、かかる接触位置・接触面積検出部４８０は、入力面１０Ｒと指との接触位置や接触面積を検出した結果を制御部４７０に出力する。このため、接触位置・接触面積検出部４８０は、入力面１０Ｒ内での指などの対象物体が接触した状態を示す状態量を、入力面１０Ｒにおける接触位置（位置座標）に対応する信号に変換する信号処理部４１０と、信号処理部４１０からの出力結果に基づいて、接触位置および接触面積を演算により求める演算部４２０とを有している。ここで、演算部４２０は、信号処理部４１０からの出力結果を一時的に記憶しておくデータ記憶４２１と、データ記憶４２１に記憶されているデータに基づいて接触位置を算出する接触位置算出部４２３と、データ記憶４２１に記憶されているデータに基づいて接触面積を算出する接触面積算出部４２５とを備えている。
【００２３】
本形態において、接触位置の検出は、入力面１０Ｒを小さな領域に区分した際、これらの領域のいずれに対して指が接触したかを検出することによって実現することができる。ここで、指は、入力面１０Ｒを小さな領域に区分した際、複数の小領域に跨って接触する。従って、接触位置については、例えば、指が接触した複数の領域の中心位置として算出する。また、接触面積の検出については、入力面１０Ｒを区分した複数の小領域の領域の幾つに対して指が接触したかを検出することによって実現することができる。
【００２４】
また、電子機器本体１０１は、図１に示す制御装置４００内に、出力情報制御部４５０を備えている。出力情報制御部４５０は、制御部４７０を介して指定された条件に基づいて、所定の画像データ４５２を電子機器１００の画像生成装置２００に出力する画像制御部４５１を備えている。また、出力情報制御部４５０は、制御部４７０を介して指定された条件に基づいて所定の音声データ４５７を電子機器１００の音声再生装置３００に出力する音声制御部４５６を備えている。また、制御部４７０は、入力装置１０から入力された情報に基づいて、画像生成装置２００での画像表示条件を決定するためのデータが記憶されている条件記憶部４７１を備えている。本形態において、条件記憶部４７１には、接触位置・接触面積検出部４８０で求められた接触面積と、表示条件とが関係付けられたルックアップテーブルなどの形態で記憶されている。ここで、制御部４７０はマイクロコンピューターなどから構成されており、ＲＯＭ（図示せず）などに予め格納されているプログラムに基づいて後述する処理を行なう。
【００２５】
（表示条件入力の具体例）
図３は、本発明を適用した電子機器１００において入力面１０Ｒ（画像表示領域２０Ｒ）に画像を表示している状態で表示条件を変更するための入力操作を行う様子を示す説明図である。図４は、本発明を適用した電子機器での入力処理を示すフローチャートである。なお、図３（ａ）、（ｂ）、（ｃ）は各々、指が入力面１０Ｒに接触し始めた状態、指を入力面に押し込んだ状態、および指を入力面から引き離す状態を示してある。また、図３（ａ）、（ｂ）、（ｃ）において、上段の図面は指が入力面１０Ｒに接触する状態を示す説明図であり、中段の図面は接触面積が変化する様子を示す説明図であり、下段の図面は画像表示装置２０Ｒで表示される文字情報の説明図である。
【００２６】
図１および図２を参照して説明した電子機器１００においては、例えば、入力面１０Ｒ（画像表示領域２０Ｒ）にメールを画像表示している状態で表示条件を一時的に変更するには、まず、図３（ａ）に示すように、指を入力面１０Ｒに軽く触れた後、図３（ｂ）に示すように、指を入力面１０Ｒに強く押し付け、しかる後に、指を入力面１０Ｒから離そうとする動作を行なう。
【００２７】
その結果、指に加える力に連動して、指と入力面１０Ｒとの接触面積は、「小」である状態（図３（ａ）に示す状態）から、徐々に大きくなり、図３（ｂ）に示す状態で最大となる。そして、図３（ｂ）に示す状態から、指を入力面１０Ｒから浮かそうとすると、指と入力面１０Ｒとの接触面積は、「大」である状態（図３（ｂ）に示す状態）から、図３（ｃ）に示す状態まで小さくなり、その後、接触面積が０となる。
【００２８】
本形態では、かかる動作に連続して、画像表示している文字のフォントを切り換え、文字のサイズを変更する。すなわち、図３（ａ）に示すように、指と入力面１０Ｒとの接触面積が「小」である状態には、それまで表示されていたサイズで文字を表示し、図３（ｂ）に示すように、指と入力面１０Ｒとの接触面積が「大」になったときには、文字のサイズを大きくし、図３（ｃ）に示すように、指と入力面１０Ｒとの接触面積が再び「小」になったときには、文字のサイズが小さな初期状態に戻す。
【００２９】
かかる表示形態の変更は、図４に示すフローチャートで示す動作によって実現される。まず、電子機器１００においては、予め設定された条件で入力面１０Ｒ（画像表示領域２０Ｒ）に画像が表示されている、この状態で、指が入力面１０Ｒ（画像表示領域２０Ｒ）に触れたことが検出されると、処理が開始される。
【００３０】
まず、ステップＳＴ１１では、接触位置・接触面積検出部４８０の接触面積算出部４２５が、指と入力面１０Ｒとの接触面積を算出し、その結果を制御部４７０に出力する。
【００３１】
次に、ステップＳＴ１２において、制御部４７０は接触面積が０であるか否かを行なう。ステップＳＴ１２において、接触面積が０でないと判断された場合、ステップＳＴ１３において、制御部４７０は、条件記憶部４７１に記憶されている条件に基づいて、出力情報制御部４５０の画像制御部４５１に指令を出力し、画像生成装置２００においてステップＳＴ１１で求めた接触面積に対応する条件での表示を行なわせる。しかる後に、再びステップＳＴ１１に戻る。
【００３２】
このような動作を繰り返せば、図３を参照して説明したように、指と入力面１０Ｒとの接触面積が変化したとき、かかる接触面積の変化に連動して画像生成装置２００が表示した画像を拡大、縮小することができる。
【００３３】
なお、指が入力面１０Ｒ（画像表示領域２０Ｒ）から離れた場合には、ステップＳＴ１２での判断において、接触面積が０であるとして処理を終了する。その結果、画像は初期条件で表示される。
【００３４】
また、図４に示す処理中に、例えば、所定のキー操作などが行われた場合には、処理を中止するように構成してもよい。この場合、処理を中止する直前の表示条件での表示が継続される。
【００３５】
さらに、上記説明では、画像表示中の動作を説明したが、表示条件の設定モードにおいて文字のサイズや画像の明るさ等の表示条件を入力する場合に上記の構成を採用してもよい。この場合、上記の動作中、確定のキー操作を行ったときに、確定のキー操作が行われる直前の条件に表示条件が設定されることになる。
【００３６】
（音声再生条件の入力の具体例）
上記説明では、指と入力面１０Ｒとの接触面積に連動して表示条件を変更したが、音声再生中に、図３を参照して説明した動作が行なわれた場合、制御部４７０は、音声制御部４５６を制御し、指と入力面１０Ｒとの接触面積に連動して音量や音質（高低）などの音声再生条件を変更してもよい。例えば、指と入力面１０Ｒとの接触面積が増大したときに音量を増大させる。このように構成すると、例えば、通話中、電子機器１００をもった手の親指だけでも音声を大きくすることができるので、便利である。
【００３７】
また、音声再生条件の設定モードにおいて音量や音質（高低）などを設定する際に上記の構成を採用してもよい。この場合、上記の動作中、確定のキー操作を行ったときに、確定のキー操作が行われる直前の条件に音声再生条件が設定されることになる。
【００３８】
（本形態の主な効果）
以上説明したように、本形態の電子機器１００では、画像表示中あるいは表示条件の設定中に、入力面１０Ｒへの指など対象物体の接触面積を検出し、接触面積が変化したとき、接触面積の変化に連動して画像生成装置２００における画像の表示条件を変化させる。すなわち、指を押し付ける度合いを変化させた際に発生する入力面１０Ｒと指との接触面積の変化を入力情報として利用する。かかる構成であれば、電子機器１００をもった手の親指だけでも入力することができるので、便利である。
【００３９】
また、本形態において、制御部４７０は、指と入力面１０Ｒとの接触面積が増大したときに画像の大きさを拡大させ、接触面積が縮小したときに画像の大きさを縮小させる。このような形態であれば、指を入力面１０Ｒに強く押し付ければ、画像が大きくなるので、指の動きと画像の大きさとの関係が自然であり、便利である。
【００４０】
（別の実施の形態）
図５は、本発明を適用した別の電子機器１００において入力面１０Ｒ（画像表示領域２０Ｒ）に画像を表示している状態で表示条件を変更するための入力操作を行う様子を示す説明図であり、図５（ａ）、（ｂ）、（ｃ）は、左手の親指で入力操作を行っている様子を示す説明図、左手の親指で入力操作を行った場合の接触領域の変化を示す説明図、および画像を拡大したときの説明図である。図６は、本発明を適用した別の電子機器の電気的構成を示すブロック図である。なお、本形態の基本的な構成は、上記実施の形態と同様であるため、電子機器の全体構成については図１を参照する。また、上記実施の形態と共通する部分には同一の符号を付してそれらの説明を省略する。
【００４１】
図１を参照して説明した電子機器１００においても、上記実施の形態と同様、入力面１０Ｒ（画像表示領域２０Ｒ）に画像表示している状態で表示条件を一時的に変更するには、まず、図５（ａ）に示すように、指を入力面１０Ｒ（画像表示領域２０Ｒ）に軽く触れた後、指を入力面１０Ｒ（画像表示領域２０Ｒ）に強く押し付ける。
【００４２】
その結果、図５（ｂ−１）に示すように、指と入力面１０Ｒとの接触面積は、「小」である初期状態から、図５（ｂ−２）に示すように、指と入力面１０Ｒとの接触面積が「大」である状態に移行する。その際、最初に指が接触した位置と、指と入力面１０Ｒとの接触面積が「大」となった状態との間で、指と入力面１０Ｒとの接触位置がずれることがある。
【００４３】
本形態では、かかる現象を利用して、画像を拡大、縮小の基準位置を決定する。すなわち、本形態では、図６に示すように、図２を参照して説明した接触位置・接触面積検出部４８０に接触開始位置記憶部４２７を追加し、かかる接触開始位置記憶部４２７には、図５（ｂ−１）に示す接触開始位置１０ｓを記憶させておく。そして、接触位置・接触面積検出部４８０は、入力面１０Ｒと指との接触位置や接触面積を検出した結果に加えて、接触開始位置記憶部４２７に記憶されている接触開始位置１０ｓも制御部４７０に出力する。そして、制御部４７０は、入力面１０Ｒと指との接触面積に対応する指令を出力情報制御部４５０の画像制御部４５１に出力する際、接触開始位置１０ｓを中心に画像を拡大、縮小するようにとの指令も制御部４７０の画像制御部４５１に出力する。
【００４４】
その結果、画像表示領域２０Ｒでは、指と入力面１０Ｒとの接触面積の変化に連動して画像サイズが変化する際、図５（ｃ）に示すように、接触開始位置１０ｓを中心Ｐ１に画像を拡大させる。なお、指と入力面１０Ｒとの接触面積の変化に連動して画像サイズは縮小する際も、接触開始位置１０ｓを中心に画像を縮小させる。
【００４５】
このような構成によれば、画像を拡大、縮小する際の中心を指定できるので、希望する拡大画像や縮小画像を画像表示領域２０Ｒに表示させることができる。
【符号の説明】
【００４６】
１０・・入力装置、１０Ｒ・・入力面、１００・・電子機器、２００・・画像生成装置、３００・・音声再生装置、４１０・・信号処理部、４２０・・演算部、４２１・・データ記憶、４２３・・接触位置算出部、４２５・・接触面積算出部、４５１・・画像制御部、４５６・・音声制御部、４７０・・制御部、４８０・・接触位置・接触面積検出部
【図１】
2011039633.tif 000003
【図２】
2011039633.tif 000004
【図４】
2011039633.tif 000005
【図６】
2011039633.tif 000006
【図３】
2011039633.tif 000007
【図５】
2011039633.tif 000008